(57)【要約】【課題】コンパクトな構成で送風通路の切り替えを行うことができ、しかも操作力の変動を少なくして操作性を向上した配風装置を提供すること。【解決手段】ケース２内には、冷風通路６と温風通路７が壁部５を間にして並設するように配置され、ドア装置１を挟んで下流側の吹出し通路８に空気を送風できるように構成している。ドア装置１は、固定板３と固定板３に対して上下方向に移動可能な可動板４とを備えている。固定板３には、冷風通路６に連通する第１開口部３１と温風通路７に連通する第２開口部３２とを有している。一方、可動板４には固定板３の第１開口部３１に対向する第３開口部４１と、第２開口部３２に対向する開口部４２とを有している。可動板４の第３開口部４１が固定板３の第１開口部３１と一致するときには、可動板４の第４開口部４２は固定板３の第２開口部３２とは一致しない。【選択図】図１
2004058729.tif 000002
【特許請求の範囲】
【請求項１】
並設する少なくとも２系統の通路の送風切り替えを行なう空調配風装置であって、
空気通路内の送風方向に対して直交して配置される固定板と、該固定板と並列して配置されるとともに前記固定板との対向する面上に沿って移動可能な可動板とを備え、
前記固定板には、少なくとも２系統の通路の空気を挿通する少なくとも第１の開口部と第２の開口部がそれぞれ設けられ、
前記可動板には、少なくとも前記第１の開口部と前記第２の開口部とに対向して設けられた少なくとも第３の開口部と第４の開口部とが設けられるとともに、少なくとも前記第３の開口部が前記第１の開口部と一致する位置に前記可動板を移動したときに前記第４の開口部が前記第２の開口部を遮蔽する位置に移動し、少なくとも前記第４の開口部が前記第２の開口部と一致する位置に移動したときに前記第３の開口部が前記第１の開口部を遮蔽する位置に移動するように、前記可動板の前記第３の開口部と前記第４の開口部が形成されていることを特徴とする空調配風装置。
【請求項２】
前記可動板が、少なくとも前記第１の開口部と前記第２の開口部とのいずれの開口部から同時に開口量を調整して送風できるように、前記第３の開口部と前記第４の開口部とが形成されていることを特徴とする請求項１記載の空調配風装置。
【請求項３】
前記第１の開口部と前記第２の開口部とが、上下方向、あるいは左右方向に並列する複数の開口孔を有して形成されるとともに、前記第３の開口部は、前記第１の開口部の開口孔と略同一の形状に形成された開口孔を備え、前記第４の開口部は、前記第２の開口部の開口孔と略同一の形状に形成された開口孔を備えていることを特徴とする請求項１又は２記載の空調配風装置。
【発明の詳細な説明】
【０００１】
【発明の属する技術分野】
本発明は、少なくとも２系統以上の送風通路から選択的に切替えた空気を室内に吹出すための空調配風装置に関する。
【０００２】
【従来の技術】
一般に、空調配風装置は車両用あるいは家庭用の空調装置内において、冷風と温風との切替え、あるいは、特に車両用では、席側（Ｆａｃｅ側）・足元側（Ｆｏｏｔ側）・フロントガラス側（ＤＥＦ側）の切替え、さらにはそれらのミックス状態を作るために、複数の通路から流れる空気を選択して１通路内に送風したり、あるいは、１通路内から流れる空気を複数の通路のいずれかに選択して送風したりするように構成されている。従来の空調配風装置としては、１８０°回転可能に軸支された板ドアタイプや、特許第２５４０７４８号に示されているようなフィルムドアタイプが知られていた。
【０００３】
板ドアタイプの空調配風装置５０は、例えば、図６に示すように、ケース５１内に壁部５２を間にして並設するように形成された冷風通路５３と温風通路５４の２通路と、２通路から送風される空気を選択的に切替える板状のドア５５と、選択された空気を吹出し口に向かって案内する吹出し側通路５６とを配置している。ドア５５の一端は壁部５２に軸支されて１８０°回転可能に配置されている。そして、冷風を送風する場合には、温風通路５４を遮断するように板状のドア５５を回転させて冷風通路５３からの冷風を吹出し側通路５６に送風し、温風を送風する場合には、冷風通路５３を遮断するように板状のドア５５を回転させて温風通路５４からの温風を吹出し側通路５６に送風するようにして切替えていた。
【０００４】
又、フィルムドアタイプの空調配風装置６０は、図７に示すように、デフロスタ吹出し口６２、ベント吹出し口６３、ヒータ吹出し口６４を周囲に有するケース６１内に、略５角形の枠状に形成されたフレーム６５とフレーム６５の外周面に沿って移動するフィルムダンパ６６とを備えて構成されている。フィルムダンパ６６には、それぞれの吹出し口に合わせて開口部が形成され、駆動アーム６８の回動によって、いずれかの吹出し口を選択的に開放できるように、フィルムダンパ６６を回動させて開口部を移動させる。
【０００５】
いずれの場合においても、開閉操作は、空調コントロールパネル上に設けられた各操作レバーを操作することによって行われていた。
【０００６】
【発明が解決しようとする課題】
しかし、従来の空調配風装置において、前者の場合では、板状のドア５５は、中央の壁部５２に一端を軸支されて開閉可能に回動されることから、板状のドア５５が送風方向と直交する位置と平行する位置とでは板状のドア５５にかかる風圧が異なり、板状のドア５５を操作する操作力の変動が大きくなって操作しにくく、例えば冷風と温風とをミックスして調整する場合には、適度な調整ができにくいだけでなく開口された通路に均一に送風することができにくかった。
【０００７】
又、後者の場合、フレーム６５が略５角形を形成していることから、空調配風装置６０の設置スペースが大きくなり、架体自体が大きくなってコンパクトに構成することができなかった。
【０００８】
本発明は、上述の課題を解決するものであり、コンパクトに構成して、しかも操作力の変動を少なくし、通路への開口部を均一に形成できる空調配風装置を提供することを目的とする。
【０００９】
【課題を解決するための手段】
本発明に係る空調配風装置は、上記の課題を解決するために、請求項１記載の発明では、並設する少なくとも２系統の通路の送風切り替えを行うものであって、空気通路内には、固定板と、前記固定板との対向する面上に沿って移動可能な可動板と、を並列状態にして送風方向に対して直交して配置する。
【００１０】
前記固定板には、少なくとも２系統の通路の空気を挿通する少なくとも第１の開口部と第２の開口部とを設け、可動板には、少なくとも固定板の第１の開口部と第２の開口部に対向する第３の開口部と第４の開口部とを形成している。
【００１１】
そして、少なくとも前記第３の開口部が前記第１の開口部と一致する位置に前記可動板を移動したときに前記第４の開口部が前記第２の開口部を遮蔽する位置に移動し、少なくとも前記第４の開口部が前記第２の開口部と一致する位置に移動したときに前記第３の開口部が前記第１の開口部を遮蔽する位置に移動するように前記可動板の前記第３の開口部と前記第４の開口部とを形成している。
【００１２】
これによると、例えば、２系統の通路が冷風通路と温風通路であって、冷風通路と温風通路とを通った空気のいずれかを吹出し口から室内側に送風する場合、固定板に対して移動する可動板が、可動板の第３の開口部を固定板の第１の開口部と一致するように移動すると、可動板の第４の開口部は固定板の第２の開口部を遮断する位置となって、選択される空気は、固定板の第１の開口部に連接する例えば冷風通路が開放されていることから、上流側の空気が冷風通路から送風されるか、あるいは冷風通路側に送風されて吹出し口から室内側に吹出されることとなる。空気は、冷風通路内のエバポレータを通っていることから、冷風を室内に送風することとなる。
【００１３】
又、可動板の第４の開口部と固定板の第２の開口部と一致するように可動板を固定板に対して移動すると、可動板の第３の開口部は固定板の第１の開口部を遮断する位置となって温風通路が開放されていることから、上流側の空気は固定板の第２の開口部に連接する例えば温風通路に送風されるかあるいは温風通路から送風される。空気は、温風通路内に設置されたヒータを通っていることから、温風を室内に送風することとなる。
【００１４】
従って、本発明の空調配風装置では、固定板と可動板との２枚の板を並列状に設置するだけであるから、極めてコンパクトに構成することができ、しかも可動板を固定板の対向する面上に沿って移動することによって、少なくとも２系統の通路のいずれかに送風切替えを行うことができることから、可動板に対する風圧の変動が小さく操作性を向上することができる。
【００１５】
請求項２記載の発明では、請求項１記載の発明の構成に基づいて、前記可動板が、少なくとも前記第１の開口部と前記第２の開口部とのいずれの開口部から同時に開口量を調整して送風できるように、前記第３の開口部と前記第４の開口部とが形成されていることから、可動板を移動する際に、固定板の第１の開口部及び第２の開口部の一部に可動板の第３の開口部及び第４の開口部の一部を一致するように、可動板を移動すれば、少なくとも２系統の通路、例えば、冷風通路と、温風通路との２通路が同時に開放され、上流の空気は冷風通路及び温風通路に送風するか、あるいは冷風通路及び温風通路から送風して空気を吹出すことができ、室内には、冷風と温風とがミックスされた状態で送風されることとなる。又、この場合、それぞれの開口部をそれぞれの通路に大きさに合わせてバランスよく形成することによって、均一な流れで送風することができる。
【００１６】
請求項３記載の発明では、前記第１の開口部と前記第２の開口部とが、上下方向、あるいは左右方向に並列する複数の開口孔を有して形成されるとともに、前記第３の開口部は、前記第１の開口部の開口孔と略同一の形状に形成された開口孔を備え、前記第４の開口部は、前記第２の開口部の開口孔と略同一の形状に形成された開口孔を備えていることから、少なくとも２系統の通路に対して、送風の切替えあるいは、開口量の調整を確実に又適度に行うことができる。
【００１７】
【発明の実施の形態】
以下、本発明の一実施形態を図面に基づいて説明する。
【００１８】
実施形態の空調配風装置（以下、配風装置という。）は、ドア装置として構成され、車両用の空調装置、あるいは家庭用の空調装置内で冷風と温風との切替え、あるいは複数の吹出し口の切替え用に使用されたり、又は、冷風と温風とのミックス状態、あるいは各吹出し口から同時に吹き出すように空気量を調整して使用されたりする。
【００１９】
配風装置（以下、ドア装置という。）１は、図１に示すように、ケース２内の送風通路に配置された固定板３と可動板４とから構成される。ケース２の送風通路は断面角状に形成され、配風装置１の上流側には、壁部５を間にして冷風通路６と温風通路７との２系統の通路が形成され、ドア装置１の下流側は、上流側からの送風を受けて１通路で形成された吹出し側通路８として室内側に連絡される。
【００２０】
固定板３は、図２に示すように、ケース２に内嵌可能に矩形板状に形成されている。固定板３には、冷風通路６に連通する第１開口部３１と温風通路７に連通する第２開口部３２が形成されている。第１開口部３１は、冷風通路６内の範囲内に配置される２個の開口孔３１ａ、３１ａを、水平方向に長尺状の長孔となるように形成している。又、第２開口部３２は、温風通路７内の範囲内に配置される２個の開口孔３２ａ、３２ａを、水平方向に長尺状の長孔となるように形成している。
【００２１】
一方、可動板４は、矩形板状に形成されるとともに、固定板３に対して縦方向に２個の開口孔３１ａ、３１ａの略ピッチ分長く形成され、第１開口部３１の開口孔３１ａ、３１ａに対向するように、第１開口部３１の開口孔３１ａ、３１ａと同ピッチで同形状に形成される２個の第３開口部４１の開口孔４１ａ、４１ａを形成している。
【００２２】
又、第３開口部４１の開口孔４１ａ、４１ａの下方には、固定板３の第２開口部３２の開口孔３２ａ、３２ａに対向する２個の第４開口部４２の開口孔４２ａ、４２ａが形成されている。第４開口部４２の開口孔４２ａ、４２ａは、可動板４の第３開口部４１の開口孔４１ａ、４１ａが固定板３の第１開口部３１の開口孔３１ａ、３１ａと一致する位置にあるときに、固定板３の第２開口部３２の開口孔３２ａ、３２ａと重ならないように第２開口部３２の開口孔３２ａ、３２ａより上方に位置して形成されている。なお、第４開口部４２の開口孔４２ａ、４２ａは、固定板３の第２開口部３２の開口孔３２ａ、３２ａと同ピッチで同形状に形成されている。
【００２３】
従って、可動板４の第４開口部４２の開口孔４２ａ、４２ａが固定板３の第２開口部３２の開口孔３２ａ、３２ａと一致する位置にあるときには、第３開口部４１の開口孔４１ａ、４１ａは、固定板３の第１開口部３１の開口孔３１ａ、３１ａと重ならない位置に配置されることとなる。
【００２４】
可動板４は、図１に示すように、固定板３に相互に対向する面に沿って上下方向に移動可能に配置され、可動板４の上下端部は、ケース２に突出するように形成された突出部２１（上部突出部２１ａ、下部突出部２１ｂ）内に収納可能に形成されている。
【００２５】
なお、固定板３及び可動板４に形成される各開口孔の形状は、図３に示すように、１個の長孔を複数の小孔にして水平方向に並列して配置するようにしてもよい。この場合、縦方向の位置は図２に示すものと同一位置とし、さらに、固定板３Ａの第１開口部３１Ａの開口孔３１ｂと可動板４Ａの第３開口部４１Ａの開口孔４１ｂ、及び固定板３Ａの第２開口部３２Ａの開口孔３２ｂと可動板４Ａの第４開口部４２Ａの開口孔４２ｂとは略同一形状であることが望ましい。
【００２６】
さらに、可動板４又は４Ａは、図示しない操作レバーに連結されて、操作レバーの操作によって上下方向に移動される。
【００２７】
次に、上記のように構成されたドア装置１の作用について説明する。
【００２８】
固定板３の上流側では、冷風通路６に図示しないエバポレータを通って冷風が送風され、温風通路７に図示しないヒータを通って温風が送風されている。固定板３は、２系統の通路と１系統の通路との連接部に配置されて、第１開口部３１の２個の開口孔３１ａ、３１ａを、冷風通路６の中心位置に対して上下方向の略対称の位置になるように配置され、第２開口部３２の開口孔３２ａ、３２ａを温風通路７の中心位置に対して上下方向の略対称位置に配置されている。
【００２９】
室内を冷房にする場合、冷風通路６の冷風を吹出し側通路８に送風するために、図示しない操作レバーを操作して可動板４を上方に移動する。図１に示すように、可動板４の上端部をケース２の上部突出部２１ａ内に収納するように移動すると、可動板４の第３開口部４１の開口孔４１ａ、４１ａは固定板３の第１開口部３１の開口孔３１ａ、３１ａと一致し、可動板４の第４開口部４２の開口孔４２ａ、４２ａは、固定板３の第２開口部３２の開口孔３２ａ、３２ａと重ならない位置に配置される。
【００３０】
従って、温風通路７内の温風は、可動板４によって遮断され温風通路７内に滞留し、冷風通路６の冷風は固定板３の開口孔３１ａ、３１ａと可動板４の開口孔４１ａ、４１ａを通過して吹出し側通路８に送られ室内に送風されて、室内を冷房する。
【００３１】
室内を暖房する場合、冷風通路６の冷風を吹出し側通路８に送風するために、図示しない操作レバーを操作して可動板４を下方に移動する。図４に示すように、可動板４の下端部をケース２の下部突出部２１ｂ内に収納するように移動すると、可動板４の第４開口部４２の開口孔４２ａ、４２ａは固定板３の第２開口部３２の開口孔３２ａ、３２ａと一致し、可動板４の第３開口部４１の開口孔４１ａ、４１ａは、固定板３の第１開口部３１の開口孔３１ａ、３１ａと重ならない位置に配置される。
【００３２】
従って、冷風通路６内の冷風は、可動板４によって遮断されて冷風通路６内に滞留し、温風通路７の温風は固定板３の開口孔３２ａ、３２ａと可動板４の開口孔４２ａ、４２ａを通過して吹出し側通路８に送られ室内に送風されて室内を暖房する。
【００３３】
次に、室内を冷風と温風とを混合させて送風する場合、図５に示すように、可動板４の上下端部をケース２の上部突出部２１ａ及び下部突出部２１ｂの両方に収納するように移動すると、可動板４の第３開口部４１の開口孔４１ａ、４１ａの一部が固定板３の第１開口部３１の開口孔３１ａ、３１ａの一部と一致し、可動板４の第４開口部４２の開口孔４２ａ、４２ａの一部が、固定板３の第２開口部３２の開口孔３２ａ、３２ａの一部と一致する位置に配置される。
【００３４】
従って、冷風通路６の冷風は、固定板３の第１開口部３１及び可動板４の第３開口部４１との間で狭められた開口量を通って吹出し側通路８に送風され、温風通路７の温風は、固定板３の第２開口部３２及び可動板４の第４開口部４２との間で狭められた開口量を通って吹出し側通路８に送風される。そのために、吹出し側通路８においては、冷風と温風が混合したミックス状態で室内側に送風されることとなる。
【００３５】
この場合、冷風と温風との量を調整して、冷風の量を多くする場合には、可動板４を図６の状態より少し上方に移動させて、固定板３の第１開口部３１及び可動板４の第３開口部４１との間の開口量を大きくすることによって、冷風通路６から通る冷風の開口量を多くすることができ、又、温風の量を多くする場合には、可動板４を図６の状態より少し下方に移動させて、固定板３の第２開口部３２及び可動板４の第４開口部４２との間の開口量を大きくすることによって、温風通路７から通る温風の開口量を多くすることができる。
【００３６】
この操作は、操作レバーを微少に移動するように操作することによって行われる。
【００３７】
なお、上記形態においては、図１に示すドア装置１の上流側に冷風通路６、温風通路７を配置し、下流側に吹出し側通路８を配置させているが、逆に、吹出し側通路８を上流として下流側の冷風通路６又は温風通路７に空気を選択的に流すようにしても、ドア装置１の作用を同様に行うことができる。
【００３８】
さらに冷風通路と温風通路を吹出し口に置き換えてもよい。この場合、３系統の通路を想定して、例えば、Ｆａｃｅ吹出し口、Ｆｏｏｔ吹出し口、ＤＥＦ吹出し口として、可動板４の移動により選択的にいずれかの吹出し口に切替えて送風したり、いずれか２つの吹出し口に同時に送風したり、又すべての吹出し口に送風したりして行ってもよい。
【００３９】
上述のように、実施形態の配風装置１は、固定板３と可動板４との２枚の板を並列状に設置するだけであるから、極めてコンパクトに構成することができ、しかも可動板４を固定板３の対向する面上に沿って移動することによって送風切替えを行い、少なくとも冷風通路６又は温風通路７のいずれかの通路から吹出し側通路８に送風することから、風圧に対する変動が小さく操作性を向上することができる。
【００４０】
また、可動板４が、少なくとも第１開口部４１と第２開口部４２とのいずれかの開口部から同時に開口量を調整して送風できるように、可動板４の第３開口部４１と第４開口部４２とが形成されていることから、可動板４を移動する際に、固定板３の第１開口部３１及び第２開口部３２の一部に、可動板４の第３開口部４１及び第４開口部４２の一部を一致するように、可動板４を移動すれば、少なくとも２系統の通路、例えば、冷風通路６と、温風通路７との２通路から吹出し側通路８に送風された空気を送ることができ、室内には、冷風と温風とがミックスされた状態で送風されることとなる。又、この場合、それぞれの開口部をそれぞれの通路に大きさに合わせてバランスよく形成することによって、均一な流れで送風することができる。
【００４１】
さらに、固定板３の第１開口部３１と第２開口部３２とが、上下方向、あるいは左右方向に並列する複数の開口孔３１ａ、３２ａを有して形成されるとともに、可動板４の第３開口部４１は、固定板３の第１開口部３１の開口孔３１ａと略同一の形状に形成された開口孔４１ａを備え、可動板４の第４開口部４２は、固定板３の第２開口部３２の開口孔３２ａと略同一の形状に形成された開口孔４２ａを備えていることから、少なくとも２系統の通路６、７に対して、送風の切替えあるいは、開口量の調整を確実に又適度に行うことができる。
【００４２】
なお、本発明の配風装置は、上記形態に限定するものではない。例えば、２系統の通路を３系統の通路に配置して、切替えを行ってもよい。又、固定板３と可動板４とに形成される開口孔は、丸状であったり、三角状であったり、あるいは異形に形成したりしてもよく、その形状については限定するものではない。
【図面の簡単な説明】
【図１】本発明の一形態による配風装置（ドア装置）を示す簡略断面図である。
【図２】図１のドア装置における可動板と固定板の一形態を示す正面図である。
【図３】図１のドア装置における可動板と固定板の別の形態を示す正面図である。
【図４】図１のドア装置における一方の送風通路から送風する作用を示す簡略断面図である。
【図５】図１のドア装置における両方の送風通路から送風する作用を示す簡略断面図である。
【図６】従来の配風装置における板ドアを示す簡略断面図である。
【図７】従来の配風装置におけるフィルムドアを示す簡略断面図である。
【符号の説明】
１　ドア装置（配風装置）
２　ケース
３　固定板
４　可動板
５　壁部
６　冷風通路
７　温風通路
８　吹出し側通路
３１　第１開口部
３１ａ　開口孔
３２　第２開口部
３２ａ　開口孔
４１　第３開口部
４１ａ　開口孔
４２　第４開口部
４２ａ　開口孔
【図１】
2004058729.tif 000003
【図２】
2004058729.tif 000004
【図３】
2004058729.tif 000005
【図４】
2004058729.tif 000006
【図５】
2004058729.tif 000007
【図６】
2004058729.tif 000008
【図７】
2004058729.tif 000009